(57)【要約】【課題】直線通過時の軌道不整等の外乱抑制性能と、曲線通過時の左右車輪の回転角速度指令値への追従応答性を両立させる。【解決手段】回転角速度制御器１０ａ〜１０ｄにより、回転角速度検出値ωFL〜ωRRが、任意の左右角速度差を有する回転角速度指令値ωFL*〜ωRR*に追従するための補償トルク指令値ΔＴFL〜ΔＴRRを出力する。各輪補正トルク指令生成部１２は、回転角速度検出値ωFL〜ωRRが回転角速度指令値ωFL*〜ωRR*に追従した状態の補償トルク指令値ΔＴFL〜ΔＴRRを記憶した補正トルクテーブルから、補正トルク指令値ΔＴFL*〜ΔＴRR*を出力する。そして、ノッチトルク指令値Ｔnotch*に補正トルク指令値ΔＴFL*〜ΔＴRR*、補償トルク指令値ΔＴFL〜ΔＴRRを加算したものをトルク指令値ＴFL*〜ＴRR*として出力する。【選択図】図１
2014192926.tif 000002
【特許請求の範囲】
【請求項１】
各輪をそれぞれ独立して駆動制御する各輪独立駆動台車の制御装置に備えられ、各輪のトルク指令値を算出する各輪モータ制御装置であって、
左右輪の回転角速度検出値の平均値である平均回転角速度指令値を算出する平均処理部と、
前記平均回転角速度指令値から、曲率半径，車速に基づいて任意の左右角速度差を有する各輪の回転角速度指令値を算出する各輪角速度差指令生成部と、
各輪の回転角速度指令値と各輪の回転角速度検出値との偏差をとり、各輪の回転角速度検出値が各輪の回転角速度指令値に追従するための補償トルク指令値を出力する回転角速度制御器と、
予め、曲率半径，車速，車輪ごとに、回転角速度検出値が回転角速度指令値に追従した状態の補償トルク指令値を記憶した補正トルクテーブルを作成し、走行時には補正トルクテーブルに基づき曲率半径，車速に応じて補正トルク指令値を出力する各輪補正トルク指令生成部と、
を備え、
ノッチトルク指令値に補正トルク指令値，補償トルク指令値を加算したものをトルク指令値として出力することを特徴とする各輪独立駆動台車の各輪モータ制御装置。
【請求項２】
前記回転角速度制御器は、各輪の回転角速度指令値と各輪の回転角速度検出値との偏差を入力とするＰＩＤ制御器を備え、
直線通過時は、ＰＩＤ制御器の積分器をリセットすることを特徴とする請求項１記載の各輪独立駆動台車の各輪モータ制御装置。
【請求項３】
前記回転角速度制御器は、
曲率半径に２つの閾値を設定し、
曲率半径が２つの閾値のうち高い方の閾値以上の場合は、前記積分器をリセットし、
曲率半径が２つの閾値のうち高い方の閾値よりも小さく、低い方の閾値よりも大きい場合は、その曲率半径に応じて積分器のゲインを低減し、
曲率半径が２つの閾値のうち低い方の閾値以下の場合は、積分器に通常のゲインを設定することを特徴とする請求項２記載の各輪独立駆動台車の各輪モータ制御装置。
【請求項４】
前記平均処理部は、
台車内の車輪の回転角速度検出値の平均値を平均回転角速度指令値として算出することを特徴とする請求項１〜３のうちいずれか１項に記載の各輪独立駆動台車の各輪モータ制御装置。
【発明の詳細な説明】
【技術分野】
【０００１】
本発明は、車輪（４輪ないし複数輪）の各輪が独立して回転する各輪独立駆動台車に係り、特に、複数車輪の回転角速度を協調させる制御方式に関する。
【背景技術】
【０００２】
従来の鉄道車両駆動用台車は左右の車輪が軸で結合されており、１つの電動機により左右車輪を一括して駆動する構成を採ることが一般的であった。この構成では左右の車輪回転角速度が一致するが、曲線通過時はレール長の差により曲線の内側と外側で進行距離が異なる。このレール長の差の影響を吸収するため、レールと接触する車輪踏面に勾配を付けて、レールとの接触位置における車輪回転半径が曲線内側で小さく、曲線外側で大きくなるようにしている。
【０００３】
しかしながら、急曲線になると上記の踏面勾配のみではレール長の差を吸収できず、車輪のフランジがレールに接触することや、車輪とレールとのすべりを引き起こす。その結果、レールおよび車輪の磨耗，振動，騒音を増大させる。
【０００４】
それに対し、図９に示すように、左右車輪間の結合軸をなくして各輪に電動機Ｍａ〜Ｍｄを設置し、それぞれの車輪を独立に回転駆動させることが可能な各輪独立駆動台車が検討されている。この各輪独立駆動台車では、左右の車輪回転角速度を個別の電動機Ｍａ〜Ｍｄで任意に制御できるため、曲線通過時の走行性能向上とともに、結合軸をなくすことによる低床化・省スペース化が期待できる。
【０００５】
図９に示すように、各輪独立駆動台車の制御装置１は、運転手の操作から得られるノッチトルク指令値Ｔnotch*に基づき、トルク指令ＴFR*，ＴFL*，ＴRL*，ＴRR*を算出して各駆動装置３ａ〜３ｄに送信する。各駆動装置３ａ〜３ｄでは、例えば、インバータ装置を用いてベクトル制御などを行い、所望のトルクが得られるように各電動機Ｍａ〜Ｍｄを制御する。また、各電動機Ｍａ〜Ｍｄに設置した回転角速度検出器４ａ〜４ｄにより検出される回転角速度検出値ωFL，ωFR，ωRL，ωRRは、それぞれの駆動装置３ａ〜３ｄを介して各輪モータ制御装置２に送信される。 
【０００６】
一方で、各輪独立駆動台車は、各輪の電動機Ｍａ〜Ｍｄを協調して制御しなければスムースな走行ができない恐れもあり、その制御手法が重要な課題となる。特許文献１および特許文献２では、各輪の回転角速度を検出し、前輪左右と後輪左右のそれぞれで左右角速度差を求め、その左右角速度差が任意の値となるように制御する方式を提案している。
【０００７】
例えば、直線通過時は左右角速度差がゼロとなるように制御することで、従来の結合軸がある構成と同様に左右車輪の回転角速度を一致させ、直線走行の安定性を向上させている。
【０００８】
すなわち、図１０に示すように、各輪独立駆動台車の各輪モータ制御装置２は、補正トルク演算部５により、左右車輪の回転角速度差（ωｒＬ−ωｒＲ）を検出し、ＰＩ制御器５ａによって左右車輪の回転角速度差（ωｒＬ−ωｒＲ）を無くす補正トルクΔＴｑを出力する。そして、左右車輪角速度差補正部６により、トルク指令値Ｔｑに前記補正トルクΔＴｑを加減算している。
【０００９】
一方、曲線通過時は、曲率半径ｒに応じて任意の左右角速度差を持つように角速度制御を行い、その結果生じる補正トルクをトルク指令値Ｔｑに加減算して円滑な走行を可能としている。
【００１０】
すなわち、図１１に示すように補正トルク演算部７は、曲線補正係数演算部７ａにおいて、曲率半径ｒの情報を用いて曲線補正係数を求め、曲線補正係数乗算部７ｂにて曲線補正係数に基づき、左右輪の回転角速度検出値ωｒＬ，ωｒＲを補正する。その後、ＰＩ制御器７ｃによって補正された左右輪回転角速度差がなくなるように制御する補正トルクΔＴｑを出力する。そして、トルク指令Ｔｑに前記補正トルクΔＴｑを加減算する。その結果、曲率半径ｒに応じて左右に回転角速度差が与えられ、曲線通過時の走行が円滑に行われるように制御される。
【先行技術文献】
【特許文献】
【００１１】
【特許文献１】特開平０８−２４２５０６号公報
【特許文献２】特開平０９−２３３６１３号公報
【発明の概要】
【発明が解決しようとする課題】
【００１２】
特許文献１，２では、曲線を通過する時、曲率半径ｒに応じて任意の左右回転角速度差を与えるように、ＰＩ制御器７ｃで回転角速度差のフィードバック制御を行っている。一般にＰＩ制御器でフィードバック制御を行う場合、Ｉ制御（積分制御）は指令値（上記図１１の構成では任意の回転角速度差）に対する定常偏差を除去する働きがあるが、外乱に対しては応答遅れが生じることも多い。
【００１３】
各輪独立駆動台車における左右回転角速度制御では、積分ゲインを高めることにより曲線通過時における左右車輪の回転角速度指令値への応答性は改善できるが、逆に積分ゲインが高いと直線通過時における軌道不整等の外乱に対する抑制性能が劣化する。一方で積分ゲインを低くすると、曲線通過時における左右車輪の回転角速度指令値への追従応答性が悪化し、結果として円滑な曲線走行を実現するためのトルク出力が遅れるため、改善効果が薄れる。（具体例は実施形態にて後述する）
以上示したようなことから、直線通過時における軌道不整等の外乱の抑制性能と、曲線通過時における左右車輪の回転角速度指令値への追従応答性を両立する各輪独立駆動台車の各輪モータ制御装置を提供することが課題となる。
【課題を解決するための手段】
【００１４】
本発明は、前記従来の問題に鑑み、案出されたもので、その一態様は、各輪をそれぞれ独立して駆動制御する各輪独立駆動台車の制御装置に備えられ、各輪のトルク指令値を算出する各輪モータ制御装置であって、左右輪の回転角速度検出値の平均値である平均回転角速度指令値を算出する平均処理部と、前記平均回転角速度指令値から、曲率半径，車速に基づいて任意の左右角速度差を有する各輪の回転角速度指令値を算出する各輪角速度差指令生成部と、各輪の回転角速度指令値と各輪の回転角速度検出値との偏差をとり、各輪の回転角速度検出値が各輪の回転角速度指令値に追従するための補償トルク指令値を出力する回転角速度制御器と、予め、曲率半径，車速，車輪ごとに、回転角速度検出値が回転角速度指令値に追従した状態の補償トルク指令値を記憶した補正トルクテーブルを作成し、走行時には補正トルクテーブルに基づき曲率半径，車速に応じて補正トルク指令値を出力する各輪補正トルク指令生成部と、を備え、ノッチトルク指令値に補正トルク指令値，補償トルク指令値を加算したものをトルク指令値として出力することを特徴とする。
【００１５】
また、前記回転角速度制御器は、各輪の回転角速度指令値と各輪の回転角速度検出値との偏差を入力とするＰＩＤ制御器を備え、直線通過時は、ＰＩＤ制御器の積分器をリセットすることを特徴とする。
【００１６】
また、前記回転角速度制御器は、曲率半径に２つの閾値を設定し、曲率半径が２つの閾値のうち高い方の閾値以上の場合は、前記積分器をリセットし、曲率半径が２つの閾値のうち高い方の閾値よりも小さく、低い方の閾値よりも大きい場合は、その曲率半径に応じて積分器のゲインを低減し、曲率半径が２つの閾値のうち低い方の閾値以下の場合は、積分器に通常のゲインを設定しても良い。
【００１７】
また、前記平均処理部は、台車内の車輪の回転角速度検出値の平均値を平均回転角速度指令値として算出しても良い。
【発明の効果】
【００１８】
本発明よれば、各輪独立駆動台車の各輪モータ制御装置において、直線通過時における軌道不整等の外乱の抑制性能と、曲線通過時における左右車輪の回転角速度指令値への追従応答性を両立することが可能となる。
【図面の簡単な説明】
【００１９】
【図１】実施形態１における各輪独立駆動台車の各輪モータ制御装置を示す構成図である。
【図２】実施形態１における各輪角速度差指令生成部を示す構成図である。
【図３】各輪補正トルク指令生成部が無く、回転角速度制御器におけるＰＩＤ制御器の積分ゲインが小さい時のシミュレーション結果を示すグラフである。
【図４】各輪補正トルク指令生成部が無く、回転角速度制御器におけるＰＩＤ制御器の積分ゲインが大きい時のシミュレーション結果を示すグラフである。
【図５】実施形態１における各輪独立駆動台車の各輪モータ制御装置のシミュレーション結果を示すグラフである。
【図６】実施形態２における各輪独立駆動台車の各輪モータ制御装置を示す構成図である。
【図７】実施形態２における各輪独立駆動台車の各輪モータ制御装置のシミュレーション結果を示すグラフである。
【図８】実施形態３における各輪独立駆動台車の各輪モータ制御装置を示す構成図である。
【図９】従来の各輪独立駆動台車を示す構成図である。
【図１０】特許文献１，２における各輪独立駆動台車の制御装置を示す構成図である。
【図１１】特許文献１，２における各輪独立駆動台車の補正トルク演算部を示す構成図である。
【発明を実施するための形態】
【００２０】
本願発明における各輪独立駆動台車の各輪モータ制御装置は、上記課題を解決するために、下記（１），（２）を行うものである。
【００２１】
（１）任意の曲率半径および車速での走行において、４輪ないし複数輪の円滑な補正トルク配分（補正トルク指令値）を、予めシミュレーションや実測などによって算出しておき、その補正トルク配分（補正トルク指令値）をテーブル化（以下、補正トルクテーブルと称する）しておく。実際の走行時は、その時の曲率半径，車速に応じて前記補正トルクテーブルから直ちに４輪ないし複数輪の補正トルク指令値を出力するため、即応性に優れた円滑な走行を実現できる。また、補正トルクテーブルにおける出力の誤差分に対しては、通常の回転角速度制御器がフィードバック制御を行い誤差が無くなるように追従制御を行う。
【００２２】
（２）上記（１）の制御構成では、補正トルクテーブルの誤差分は回転角速度制御器のＰＩ制御器によるフィードバック制御で誤差がなくなるように追従する。したがって、前記（１）の制御構成では、ＰＩ制御器の性能に依存する。そこで、（２）では曲線通過時はＰＩ制御器の積分ゲインを高くするように調整して左右車輪の回転角速度指令値（左右車輪の回転角速度差）への追従応答性を向上させる。一方、直線ないし曲率半径が大きい時は積分ゲインを低くして、軌道不整外乱に対する抑制応答性を高める。
【００２３】
以上より、本願発明における各輪独立駆動台車の各輪モータ制御装置は、従来の制御方式と比較して、曲線走行時における左右車輪の回転角速度指令値への速応性の改善と、直線通過時ないし曲率半径が大きい曲線走行時における外乱抑制の速応性の改善とを両立し、より円滑な走行を実現する。
【００２４】
以下、本願発明の各輪独立駆動台車における各輪モータ制御装置の実施形態１〜３を図１〜８に基づいて詳細に説明する。
【００２５】
［実施形態１］
図１は本実施形態１における各輪独立駆動台車の各輪モータ制御装置を示す構成図である。
【００２６】
図１０に示す各輪独立駆動台車の各輪モータ制御装置２の構成では、左右回転角速度の差分をＰＩ制御器５ａに入力して差分がなくなるように制御しているが、本実施形態１では、図１に示すように、平均処理部８ａ，８ｂにおいて前輪・後輪それぞれの左右回転角速度ωFLとωFR，ωRLとωRRの平均値を平均回転角速度指令値ωF*，ωR*として下記（１）式により算出し、回転角速度制御を行っている。
【００２７】
【数１】
2014192926.tif 000003
【００２８】
各輪角速度差指令生成部９では、前記（１）式の平均回転角速度指令値ωF*，ωR*を曲率半径Ｒ，車速Ｖの情報を用いて補正し、各輪の回転角速度指令値ωFL*，ωFR*，ωRL*，ωRR*を生成する。
【００２９】
この平均回転角速度指令値ωF*，ωR*の補正は、曲線走行時の曲率半径Ｒ（車輪のレール長の差の影響）や車速Ｖ（車輪回転半径，アタック角，遠心力などの影響）の状態に応じて、左右車輪に任意の角速度差を有する回転角速度指令値ωFL*，ωFR*，ωRL*，ωRR*を算出し、より円滑な走行を実現するために行われるものである。
【００３０】
各輪の回転角速度指令値ωFL*，ωFR*，ωRL*，ωRR*の生成方法は任意であるが、例えば曲率半径Ｒおよび車速Ｖを２次元入力とし、前記（１）式の平均回転角速度指令値ωF*，ωF*を補正するための回転角速度補正値ΔωFL*，ΔωFR*，ΔωRL*，ΔωRR*のテーブルを、シミュレーションや実測結果等で求められるレール横圧低減効果に基づいて予め構成しておく方法が挙げられる。
【００３１】
一般に、曲線走行時のレール・車輪間の横圧が低くなれば、磨耗や騒音を低減できる。図２は、各輪角速度差指令生成部９の一例を示す構成図である。
【００３２】
図２に示すように、各輪角速度差指令生成部９は、回転角速度補正テーブル１５ａ〜１５ｄと、加算部１６ａ〜１６ｄと、を備える。回転角速度補正テーブル１５ａ〜１５ｄでは、曲率半径Ｒおよび車速Ｖに応じて、各輪の回転角速度指令補正値ΔωFL*，ΔωFR*，ΔωRL*，ΔωRR*を出力する。そして、加算器１６ａ〜１６ｄにおいて、平均回転角速度指令値ωF*，ωR*に、各輪の回転角速度指令補正値ΔωFL*，ΔωFR*，ΔωRL*，ΔωRR*を加算し、各輪の回転角速度指令値ωFL*，ωFR*，ωRL*，ωRR*として出力する。
【００３３】
次に、前記各輪の回転角速度指令値ωFL*，ωFR*，ωRL*，ωRR*と、各輪の回転角速度検出値ωFL，ωFR，ωRL，ωRRとの偏差を減算器１１ａ〜１１ｄによりとって各輪の回転角速度制御器１０ａ〜１０ｄでフィードバック制御を行う。
【００３４】
回転角速度制御器１０ａ〜１０ｄは、例えば、一般的なＰＩＤ制御器を用いれば良い。また、電鉄車両の左右制御系は、レールや踏面勾配を持つ車輪などの非線形形状特性に強く依存しているため、ＰＩＤ制御パラメータは車速Ｖや曲率半径Ｒに応じたゲインスケジューリングを行い、走行状態に応じた制御ゲイン調整を行う。
【００３５】
各輪の回転角速度制御器１０ａ〜１０ｄによって出力されるトルク（以下、補償トルク指令値と称する）ΔＴFL，ΔＴFR，ΔＴRL，ΔＴRRは、円滑な走行を実現するために生成された回転角速度指令値ωFL*，ωFR*，ωRL*，ωRR*に対して追従するように出力される車両運動における左右系のトルクとなる。
【００３６】
次に、本願発明の特徴となる各輪補正トルク指令生成部１２について説明する。
【００３７】
図１に示す各輪モータ制御装置２に各輪補正トルク指令生成部１２が無く、回転角速度制御器１０ａ〜１０ｄにおけるＰＩＤ制御の積分ゲインが小さい場合のシミュレーション結果を図３に示す。
【００３８】
図３は、初速４０ｋｍ／ｈの惰行運転（ノッチトルク指令Ｔnotch*がゼロの状態）において、２秒後に直線から曲率半径Ｒ＝１１００ｍのカーブに入り、２０秒時点で直線に復帰し、４０秒時点で軌道不整外乱が入力された場合のシミュレーション波形である。図３（ａ）は曲率半径Ｒ［ｍ］，（ｂ）は前輪の車輪回転角速度ωFL，ωFR［ｒａｄ／ｓ］，図３（ｃ）は前輪のモータ入力トルクＴFL，ＴFR［Ｎｍ］，図３（ｄ）は前輪の横圧［ｋＮ］，図３（ｅ）はレールに対する前輪の左右変位［ｍｍ］を示している。
【００３９】
図３（ｂ）に示すように、曲線突入（２秒）後、回転角速度検出値ωFL，ωFRが回転角速度指令値ωFL*，ωFR*に追従するにつれて、図３（ｄ）に示す横圧が低減していることがわかる。また、図３（ｃ）に示すように、回転角速度ωFL，ωFRにより横圧を低減するための左右のトルクが発生していることがわかる。しかしながら、回転角速度検出値ωFL，ωFRが回転角速度指令値ωFL*，ωFR*に追従するまでの応答が遅く、曲線通過時の横圧低減効果が発揮されるまでに長い時間を必要とする。
【００４０】
また、直線復帰（２０秒）後も左右変位が中央に復帰するまでに時間がかかっている。一方、軌道不整外乱（４０秒後）の影響に対しては、左右変位を中央位置に収束させていることがわかる。
【００４１】
以上より、車両運動における左右系のトルクとして一般的なＰＩＤ制御器（回転角速度制御器）のみを用いた場合は、曲線通過時の回転角速度指令値ωFL*，ωFR*に対する回転角速度検出値の応答性に問題があり、実用上、十分な横圧低減効果を発揮できない。
【００４２】
次に、曲線通過時における回転角速度指令値ωFL*，ωFR*に対する回転角速度検出値ωFL，ωFRの追従の応答性を高めるために、回転角速度制御器１０ａ〜１０ｄにおけるＰＩＤ制御器の積分ゲインを高くした場合について考える。図１に示す各輪補正トルク指令生成部１２が無く、回転角速度制御器１０ａ〜１０ｄにおけるＰＩＤ制御の積分ゲインが大きい場合のシミュレーション結果を図４に示す。なお、各条件は図３の場合と同様とする。
【００４３】
図４（ｂ）に示すように、図３（ｂ）の結果に比べて回転角速度検出値ωFL，ωFRが回転角速度指令値ωFL*，ωFR*に対して速く追従しており、応答性が向上している。また、横圧も図４（ｄ）に示すように、図３（ｄ）の場合と比較して早く低減できている。
【００４４】
しかしながら、直線復帰（２０秒）後ならびに、軌道不整外乱（４０秒）に対しては、積分ゲインの影響で応答遅れが生じ、図４（ｅ）の左右変位からわかるように、振動が発生している。したがって、走行時における安定性を考慮すると積分ゲインを高めるのにも限界がある。
【００４５】
そこで、本実施形態１では、シミュレーション結果等から、予め計算しておいた回転角速度制御器１０ａ〜１０ｄから出力された補償トルク指令値ΔＴFL，ΔＴFR，ΔＴRL，ΔＴRR（図３（ｃ），４（ｃ）における曲線通過中、回転角速度検出値ωFL，ωFRが回転角速度指令値ωFL*，ωFR*に追従した状態の補償トルク指令値ΔＴFL，ΔＴFR，ΔＴRL，ΔＴRR）を記録して、車速Ｖと曲率半径Ｒに応じた補正トルクテーブルを作成し、図１の各輪補正トルク指令生成部１２に実装する。例えば、車速Ｖ，曲率半径Ｒの２つの状態量を入力とした２次元補正トルクテーブルを車輪ごとに作成すればよい。実際の走行時は、その時の曲率半径Ｒ，車速Ｖに応じて、記録された補償トルク指令値ΔＴFL，ΔＴFR，ΔＴRL，ΔＴRRを補正トルク指令値ΔＴFL*，ΔＴFR*，ΔＴRL*，ΔＴRR*として出力する。
【００４６】
この各輪補正トルク指令生成部１２で生成された補正トルク指令値ΔＴFL*，ΔＴFR*，ΔＴRL*，ΔＴRR*は、加算器１３ａ〜１３ｄにおいて、ノッチトルク指令Ｔnotch*と加算され、その加算された値が加算器１４ａ〜１４ｄにおいて、補償トルク指令値ΔＴFL，ΔＴFR，ΔＴRL，ΔＴRRと加算され、トルク指令値ＴFL*，ＴFR*，ＴRL*，ＴRR*として出力される。
【００４７】
本実施形態１の各輪補正トルク指令生成部１２を実装した場合における各輪独立駆動台車の各輪モータ制御装置２のシミュレーション結果を図５に示す。なお、各条件は、図３，４の場合と同様とする。
【００４８】
図５（ｂ），（ｄ）に示すように、曲線突入（２秒）後、その曲率半径Ｒならびに車速Ｖの状態に応じた補正トルク指令値ΔＴFL*，ΔＴFR*がただちに入力されるため、図３，４の各輪補正トルク指令部１２がない場合に比べて、回転角速度指令値ωFL*，ωFR*に対する回転角速度検出値ωFL，ωFRの応答性が良く、横圧も早く低減できることがわかる。また、図５（ｅ）に示すように、直線復帰（２０秒）後，起動不整外乱（４０秒）に対しても安定的に左右変位が中央に収束する。
【００４９】
以上示したように、本実施形態１によれば、回転角速度制御器１０ａ〜１０ｄにおけるＰＩＤ制御器の演算を介することなく、各輪補正トルク指令生成部１２に備えられた補正トルクテーブルの補正トルク指令値ΔＴFL*，ΔＴFR*，ΔＴRL*，ΔＴRR*により直接的にノッチトルク指令値Ｔnotch*を補正するため、曲線通過時，直線復帰時，軌道不整外乱に対し、回転角速度指令値ωFL*，ωFR*に対して回転角速度検出値ωFL，ωFRが速く追従するため、横圧や左右変位を速く低減することができ、速応性の良い結果が得られる。また、各輪補正トルク指令生成部１２に備えられた補正トルクテーブルにある程度誤差が存在したとしても、その誤差分をフィードバック補償するように回転角速度制御器１０ａ〜１０ｄにおけるＰＩＤ制御器が並列的に機能するため、良好な横圧低減効果が得られる。
【００５０】
［実施形態２］
実施形態１では、各輪補正トルク指令生成部１２における補正トルクテーブルの補正トルク指令値ΔＴFL*，ΔＴFR*，ΔＴRL*，ΔＴRR*によって車両運動における左右系のトルクを補償することにより速応性の向上を実現したが、補正トルクテーブルの誤差分の補償は回転角速度制御器１０ａ〜１０ｄにおけるＰＩＤ制御器の応答性に依存していた。また、図３，４の（各輪補正トルク指令生成部１２が無い）場合では車速Ｖ，曲率半径Ｒに応じて回転角速度制御器１０ａ〜１０ｄにおけるＰＩＤ制御のゲインスケジューリングを行っていても、直線復帰後の応答遅れが生じていた。これは、曲線通過時中の積分値が残留しているためであった。そこで、本実施形態２では、曲率半径Ｒに応じて回転角速度制御器１０ａ〜１０ｄのＰＩＤ制御器における積分器の出力をリセットする処理を施す。図６は、本実施形態２における各輪独立駆動台車の制御装置１の構成図である。
【００５１】
回転角速度制御器１０ａ〜１０ｄのＰＩＤ制御器における積分器のリセット処理の一例を以下に説明する。曲率半径Ｒに第１閾値Ｒｍａｘ，第２閾値Ｒｍｉｎを設定する（Ｒｍｉｎ＜Ｒｍａｘ）。そして、直線通過中の積分器は応答遅れに繋がるため、曲率半径Ｒが第１閾値Ｒｍａｘ以上（Ｒ＞Ｒｍａｘ）の時、積分器をゼロにリセットする処理を施す。また、曲率半径Ｒが緩やかな曲線（第２閾値Ｒｍｉｎ＜曲率半径Ｒ＜第１閾値Ｒｍａｘ）の時は、そのときの曲率半径Ｒに応じて積分器出力を低減するようなゲインを与える。一方、通常の曲線（曲率半径Ｒ＜第２閾値Ｒｍｉｎ）では、リセット処理をせずに、回転角速度制御器１０ａ〜１０ｄのＰＩＤ制御器による誤差トルク補償を行う。
【００５２】
以上の機能を追加した場合のシミュレーション結果を図７に示す。なお、各条件は図３〜図５の場合と同様とする。図７（ｅ）に示すように、図５のシミュレーション結果と比較して、直線復帰時（２０秒）および軌道不整外乱発生時（４０秒）における左右変位が、より早く中央位置に収束していることが分かる。
【００５３】
以上示したように、本実施形態２によれば、実施形態１の効果に加えて、回転角速度検出器１０ａ〜１０ｄのＰＩＤ制御器における積分器のリセット処理によって、直線通過時ないし緩やかな曲線通過時における走行性能を改善することが可能となる。
【００５４】
［実施形態３］
図８は、本実施形態３における各輪独立駆動台車の制御装置１を示す構成図である。実施形態１，２では、前輪，後輪ごとに平均処理部８ａ，８ｂを設けていたが、本実施形態３では、４輪の平均値をとる平均処理部４ｃを設けている。その他の構成は、実施形態２と同様である。
【００５５】
すなわち、実施形態１，２では、前輪・後輪ごとに左右回転角速度検出値ωFL，ωFRまたはωRL，ωRRの平均値をとって、平均回転角速度指令値ωF*，ωR*としていたが、本実施形態３では、下記（２）式のように、４輪の平均値を平均回転角速度指令値ω*としている。
【００５６】
【数２】
2014192926.tif 000004
【００５７】
なお、各輪角速度差指令生成部９では、平均回転角速度指令値ω*に対して、各輪の回転角速度指令補正値ΔωFL*，ΔωFR*，ΔωRL*，ΔωRR*を加算し、各輪の回転角速度指令値ωFL*，ωFR*，ωRL*，ωRR*として出力する。
【００５８】
以上示したように、本実施形態３によれば、実施形態１，２の効果に加えて、平均処理を簡素化することが可能となり、演算負荷を軽減することができる。
【００５９】
実施形態３では、平均処理部８ｃにより、４輪の回転角速度検出値の平均値である平均回転角速度指令値ω*を算出しているが、台車に４輪以上の車輪が設けられている場合は、４輪以上の車輪の回転角速度検出値の平均値を平均回転角速度指令値ω*としても良い。
【符号の説明】
【００６０】
１…制御装置
２…各輪モータ制御装置
８ａ，８ｂ，８ｃ…平均処理部
９…各輪角速度差指令生成部
１０ａ〜１０ｄ…回転角速度制御器
１２…各輪補正トルク指令生成部
【図１】
2014192926.tif 000005
【図２】
2014192926.tif 000006
【図３】
2014192926.tif 000007
【図４】
2014192926.tif 000008
【図５】
2014192926.tif 000009
【図６】
2014192926.tif 000010
【図７】
2014192926.tif 000011
【図８】
2014192926.tif 000012
【図９】
2014192926.tif 000013
【図１０】
2014192926.tif 000014
【図１１】
2014192926.tif 000015